(57)【要約】【課題】通話中にバッテリ駆動内線電話端末のバッテリ残量が低下した場合、通話中の呼を近傍の電話機に転送する内線電話システムを提供することにある。【解決手段】移動電話端末は、通話中にバッテリの残量値を計測し、残量値が所定値未満となった場合に、通話中の呼を自動的に保留する旨の情報を表示し、所定の操作により通話中の呼を保留する保留要求を主装置へ送信する。主装置は、保留要求を受信した場合に、対応する通話中の呼を保留し、内線電話端末のいずれかから、保留要求元情報を含む特定コマンドを受信したならば、受信した特定コマンドに含まれている保留呼を解除し、特定コマンドを送信してきた内線電話端末へ保留を解除した呼を転送する。【選択図】図１
2016019067.tif 000002
【特許請求の範囲】
【請求項１】
バッテリで動作するバッテリ駆動内線電話端末を含む複数の内線電話端末と、前記複数の内線電話端末を収容する主装置からなる電話システムであって、
前記バッテリ駆動内線電話端末は、
自端末が内蔵するバッテリに蓄積されている電力の残量値を計測する残量値計測手段と、前記計測した残量値が予め定められた所定値未満か否かを判定する残量値判定手段と、を有し、
通話中に前記残量値が前記所定値未満であると判定した場合に、当該通話中の呼を自動的に保留する旨の情報を表示し、所定の操作が為された場合または所定時間内に所定の操作が為されなかった場合に、当該通話中の呼を保留することを要求する保留要求を前記主装置へ送信し、
前記主装置は、
前記バッテリ駆動内線電話端末から前記保留要求を受信した場合に、当該バッテリ駆動内線電話端末に対応する通話中の呼を保留する通話中呼保留手段と、前記保留した保留呼を識別する保留呼識別情報と前記保留要求を送信してきた前記バッテリ駆動内線電話端末に係る保留要求元情報を対応付けて記憶する保留情報記憶手段と、を有し、
前記内線電話端末のいずれかから、前記保留要求元情報を含む特定コマンドを受信したならば、前記保留情報記憶手段を参照し、前記受信した特定コマンドに含まれている保留要求元情報に対応する保留呼を特定し、前記特定した保留呼を解除し、当該特定コマンドを送信してきた内線電話端末へ前記保留を解除した呼を転送することを特徴とするバッテリ残量による保留転送機能を有する電話システム。
【発明の詳細な説明】
【技術分野】
【０００１】
本発明は、バッテリ残量が低下した際に自動的に通話中の呼を保留し、転送できる内線電話システムに関する。
【背景技術】
【０００２】
ボタン電話システムや構内電話システム（ＰＢＸ）等の内線電話システムにおいて、通話中に移動電話端末のバッテリ残量が低下し、呼を他の内線電話端末等へ転送する際、従来の転送方式では転送ボタンを押下してから転送先のダイヤルを押下しなければならず転送操作が煩雑で面倒であった。
【０００３】
上述の問題点を解決する方法として、例えば、特許文献１には、移動電話端末のバッテリ残量を主装置において、主装置が移動電話端末のバッテリ残量を監視し、移動電話端末のバッテリ残量が予め定められた値未満になったことを検出すると、当該内線電話端末のへの着信を予め登録された転送先に自動転送する技術が記載されている。
【０００４】
しかしながら、特許文献１に記載された技術は、バッテリ残量が予め定められた値未満になった際に、着信の転送設定が有効になるため、例えば通話中にバッテリ残量が低下した場合に、通話が完了するまで転送設定が有効にならないという問題がある。
【０００５】
さらに、特許文献１に記載された技術は、着信が転送される転送先は、予め登録された転送先であり、例えば予め登録された転送先の場所から離れた位置でバッテリ残量が予め定めた値未満になると、ユーザは、転送先の電話機の位置まで赴かなければならず不便である。
【先行技術文献】
【特許文献】
【０００６】
【特許文献１】特開２００９−４４３１５号公報
【発明の概要】
【発明が解決しようとする課題】
【０００７】
本発明は上記課題に鑑みてなされたものであり、その目的は、通話中にバッテリ残量が低下した場合、通話中の呼を近傍の電話機に転送する内線電話システムを提供することにある。
【課題を解決するための手段】
【０００８】
上記課題を解決するため、本発明は、バッテリで動作するバッテリ駆動内線電話端末を含む複数の内線電話端末と、前記複数の内線電話端末を収容する主装置からなる電話システムであって、前記バッテリ駆動内線電話端末は、自端末が内蔵するバッテリに蓄積されている電力の残量値を計測する残量値計測手段と、前記計測した残量値が予め定められた所定値未満か否かを判定する残量値判定手段と、を有し、通話中に前記残量値が前記所定値未満であると判定した場合に、当該通話中の呼を自動的に保留する旨の情報を表示し、所定の操作が為された場合または所定時間内に所定の操作が為されなかった場合に、当該通話中の呼を保留することを要求する保留要求を前記主装置へ送信し、前記主装置は、前記バッテリ駆動内線電話端末から前記保留要求を受信した場合に、当該バッテリ駆動内線電話端末に対応する通話中の呼を保留する通話中呼保留手段と、前記保留した保留呼を識別する保留呼識別情報と前記保留要求を送信してきた前記バッテリ駆動内線電話端末に係る保留要求元情報を対応付けて記憶する保留情報記憶手段と、を有し、前記内線電話端末のいずれかから、前記保留要求元情報を含む特定コマンドを受信したならば、前記保留情報記憶手段を参照し、前記受信した特定コマンドに含まれている保留要求元情報に対応する保留呼を特定し、前記特定した保留呼を解除し、当該特定コマンドを送信してきた内線電話端末へ前記保留を解除した呼を転送することを特徴とする。
【発明の効果】
【０００９】
本発明によれば、移動電話端末が通話中にバッテリ残量が低下すると自動または特定の操作により通話中の呼を保留する。そして当該移動電話端末のユーザが近傍に存在する電話機から特定操作を行うと、保留した呼を解除する。したがって、ユーザは、簡単な操作で通話中の呼を近傍に存在する電話機に話中転送することが可能できる。
【図面の簡単な説明】
【００１０】
【図１】図１は、本発明の一実施の形態に係る内線電話システムの概略構成図である。
【図２】図２は、本発明の一実施の形態に係るバッテリ駆動内線電話端末の機能ブロック図である。
【図３】図３は、本発明の一実施の形態に係る主装置の機能ブロック図である。
【図４】図４は、本発明におけるバッテリ駆動内線電話端末の動作フローチャート図である。
【図５】図５は、本発明における主装置の動作フローチャート図である。
【図６】図６は、保留要求元情報テーブル記憶部に記憶された保留要求元情報テーブルを模式的表した図である。
【発明を実施するための形態】
【００１１】
以下に、本発明の一実施の形態について説明する。
【００１２】
図１は、本実施の形態に係る内線電話システムの概略構成図である。
【００１３】
図示するように、内線電話システムは、公衆網４０に接続する主装置３０と、主装置３０に接続する内線電話端末５０、無線アクセスポイント２０、無線アクセスポイント２０に帰属する複数のバッテリ駆動内線電話端末１０と、から構成される。
【００１４】
主装置３０は、複数の外線および複数の内線電話端末５０およびバッテリ駆動内線電話端末１０を収容する構内交換機である。
【００１５】
尚、本実施例では主装置３０は、構内交換機として説明するが、本願はこれに限定されない。例えば、ＩＰ（Ｉｎｔｅｒｎｅｔ  Ｐｒｏｔｏｃｏｌ）網に接続する呼制御サーバであってもよいし、主装置３０が公衆網４０を介して内線電話端末５０を収容するレガシー型の構内交換機であってもよい。
【００１６】
主装置３０は、バッテリ駆動内線電話端末１０から保留要求を受信すると、当該バッテリ駆動内線電話端末１０が通話中の呼を保留する。そして、主装置３０は、帰属する任意の内線電話端末５０のいずれかから特定コマンドを受信すると、呼の特定を行った後に保留を解除する。
【００１７】
内線電話端末５０は、主装置３０に帰属する汎用的なボタン内線電話機である。
【００１８】
無線アクセスポイント２０は、主装置３０とバッテリ駆動内線電話端末１０との間を接続する電波中継機である。
【００１９】
バッテリ駆動内線電話端末１０は、主装置３０に帰属し、バッテリで駆動する無線内線電話端末である。バッテリ駆動内線電話端末１０は、自バッテリ駆動内線電話端末のバッテリ残量が所定値未満になると、無線アクセスポイント２０を介して保留要求を主装置３０に対して送信する。
【００２０】
図２は、バッテリ駆動内線電話端末１０の機能ブロック図である。
【００２１】
図示するように、バッテリ駆動内線電話端末１０は、無線通信部１０１、呼接続制御部１０２、移動端末制御部１０３、バッテリ部１０４、バッテリ残量値計測部１０５、バッテリ残量値判定部１０６、表示部１０７、操作部１０８を有する。
【００２２】
無線通信部１０１は、呼接続制御部１０２より通信の指示を受け、無線アクセスポイント２０、主装置３０を介して他の電話装置（相手先）と通信を行う。
【００２３】
呼接続制御部１０２は、呼接続に係る制御全般を行う。また、呼接続制御部１０２は移動端末制御部１０３からの保留要求元情報３０６２が付加された保留要求を受け、無線アクセスポイント２０に対して保留要求を発信する。保留要求元情報３０６２については、図６で後述する。
【００２４】
移動端末制御部１０３は、バッテリ残量値判定部１０６からバッテリ残量が所定値未満である旨の通知を受けた場合、表示部１０７に対してバッテリ残量低下のため通話中の呼を保留してもよいか否かを問う保留確認表示を行う。
【００２５】
バッテリ部１０４は、バッテリ駆動内線電話端末１０を動作させるための電源である。
【００２６】
バッテリ残量値計測部１０５は、バッテリ部１０４からバッテリ残量を計測し、バッテリ残量値判定部１０６へバッテリ残量を通知する。
【００２７】
バッテリ残量値判定部１０６は、バッテリ残量値計測部１０５からバッテリ残量を取得すると、取得したバッテリ残量が所定値未満（例えば、５％未満）であるか否かの判定を行う。バッテリ残量値が所定値未満である場合、バッテリ残量値判定部１０６は、移動端末制御部１０３に対してバッテリ残量が所定値未満であることを通知する。
【００２８】
表示部１０７は、移動端末制御部１０３からの指示により各表示を行う。
【００２９】
操作部１０８は、ユーザからの入力操作を検知し、移動端末制御部１０３に入力情報を通知する。
【００３０】
図３に示すように、主装置３０は、通信部３０１、特定コマンド受信部３０２、保留要求受信部３０３、保留制御部３０４、保留呼特定部３０５、保留要求元情報テーブル記憶部３０６、転送制御部３０７を有する。
【００３１】
通信部３０１は、無線アクセスポイント２０、内線電話端末５０、および公衆網４０と接続する接続インターフェースである。また、通信部３０１は、内線電話端末５０とバッテリ駆動内線電話端末１０を収容し、内線、外線に係る保留処理、転送処理を含む呼接続処理全般を制御する。
【００３２】
特定コマンド受信部３０２は、通信部３０１を監視し、通信部３０１が内線電話端末５０から特定コマンドを受信すると、特定コマンドを送信した内線電話端末５０の内線端末情報および通信部３０１が受信した特定コマンドを保留呼特定部３０５へ渡す。
【００３３】
ここで、特定コマンドとは、バッテリ駆動内線電話端末１０のＩＰアドレスを意味する。
【００３４】
保留要求受信部３０３は、通信部３０１を監視し、通信部３０１がバッテリ駆動内線電話端末１０からの保留要求を受信すると、保留する呼の情報（以下、保留呼と呼称）と保留要求元の端末情報（例えば、バッテリ駆動内線電話端末１０のＩＰアドレス、以下、保留要求元情報と呼称）を抽出し、抽出した保留呼と保留要求元情報を対応づけて、後述する保留要求元情報テーブル３０６０に記憶する。また、保留要求受信部３０３は、保留呼を保留制御部３０４に渡す。
【００３５】
尚、本実施例では、保留要求元情報および特定コマンドを、バッテリ駆動内線電話端末１０のＩＰアドレスとして説明するが、本願はこれに限定されない。例えば、バッテリ駆動内線電話端末１０のＭＡＣアドレス（Ｍｅｄｉａ  Ａｃｃｅｓｓ  Ｃｏｎｔｒｏｌ  ａｄｄｒｅｓｓ）や内線電話番号、外線電話番号、バッテリ駆動内線電話端末１０の端末ＩＤ、バッテリ駆動内線電話端末１０を操作するユーザ名であってもよいし、予めバッテリ駆動内線電話端末１０を操作するユーザが設定したパスワードであってもよい。
【００３６】
保留制御部３０４は、保留要求受信部３０３から保留呼が渡されると、渡された保留呼に対応する呼を通信部３０１と連携して保留処理する。
【００３７】
保留呼特定部３０５は、特定コマンド受信部３０２から内線端末情報と特定コマンドを渡されると、保留要求元情報テーブル記憶部３０６を参照し、特定コマンドに対応する保留呼を抽出する（以下、保留呼特定と呼称する）。保留呼特定できた場合、保留呼特定部３０５は、転送制御部３０７に対し、渡された内線端末情報に対応する内線電話機へ抽出した保留呼を転送するよう指示する。
【００３８】
保留要求元情報テーブル記憶部３０６は、保留要求元情報テーブル３０６０を記憶する記憶部である。次に図６をもちいて、具体的な保留呼特定の方法について説明する。
【００３９】
図６は、保留要求元情報テーブル記憶部３０６に記憶された保留要求元情報テーブル３０６０を模式的表した図である。
【００４０】
保留要求元情報テーブル３０６０は、図示するように保留制御部３０４によって保留された保留中の呼を意味する保留中呼のフィールド３０６１と、保留要求元のバッテリ駆動内線電話端末１０のＩＰアドレスを示す保留要求元情報のフィールド３０６２とから構成される。また、保留要求元情報テーブル３０６０は、所定の呼が保留される毎にレコード３０６３が追加され、保留が解除される毎に削除される。
【００４１】
保留呼特定部３０５は、特定コマンド受信部３０２から内線端末情報と特定コマンドを渡されると、保留要求元情報テーブル３０６０の保留要求元情報のフィールド３０６２を参照して渡された特定コマンドと一致するレコードを検索する。そして一致するレコードを検出できたならば、保留呼特定部３０５は、当該レコードに対応する保留中呼を抽出する。そして、保留呼特定部３０５は、転送制御部３０７へ転送を指示すると共に抽出した保留中呼と内線端末情報を渡す。図３の説明に戻る。
【００４２】
転送制御部３０７は、保留呼特定部３０５からの転送の指示と共に抽出した保留中呼と内線端末情報を渡されると、通信部３０１と連携して渡された保留中呼を内線端末情報に対応する内線電話機に転送する。そして、転送制御部３０７は、内線端末情報に対応する内線電話機に転送が成功すると、保留要求元情報テーブル３０６０から渡された保留中呼に対応するレコードを参照し、当該レコードを削除する。
【００４３】
図４は、バッテリ駆動内線電話端末１０の動作フローチャート図である。
【００４４】
本フローチャートは、バッテリ駆動内線電話端末１０と図示しない通話相手の相手電話端末とが呼接続し、通話を開始した状態から開始する。
【００４５】
バッテリ駆動内線電話端末１０は通話が開始されると、バッテリ残量の計測を開始し、バッテリ残量の監視を開始する（Ｓ４０１）。
【００４６】
そして、バッテリ駆動内線電話端末１０は、バッテリ残量値が所定値未満になる（Ｓ４０２）、または通話が切断される（Ｓ４１０）、のいずれかになるのを待つ。
【００４７】
バッテリ残量値が所定値未満になった場合（Ｓ４０２、Ｙｅｓ）、バッテリ駆動内線電話端末１０は、保留確認画面を表示する（Ｓ４０３）。そして、バッテリ駆動内線電話端末１０は、特定操作を受付ける（Ｓ４０４）、通話が切断される（Ｓ４０６）、バッテリ残量が所定値以上になる（Ｓ４０８）、の何れかになるのを待つ。
【００４８】
特定操作を受付けると（Ｓ４０４、Ｙｅｓ）、バッテリ駆動内線電話端末１０は、主装置３０に保留要求を送信し（Ｓ４０５）、ステップ４０６に移行する。
【００４９】
通話が切断されると（Ｓ４０６、Ｙｅｓ）、バッテリ駆動内線電話端末１０は、保留確認画面の表示を停止し（Ｓ４０７）、ステップ４１１に移行する。ここで、通話が切断されるとは、相手電話端末の通話相手がオフフックして電話機から切断要求を受信した場合、または自バッテリ駆動内線電話端末のユーザがオフフック操作した場合、またはステップ４０５の保留要求に従って主装置３０が転送処理を実行し、通話を切断した場合を意味する。
【００５０】
バッテリ残量が所定値以上になると（Ｓ４０８、Ｙｅｓ）、バッテリ駆動内線電話端末１０は、保留確認画面の表示を停止し（Ｓ４０９）、ステップ４１０に移行する。
【００５１】
また、ステップ４１０において通話が切断されると（Ｓ４１０、Ｙｅｓ）、バッテリ駆動内線電話端末１０は、バッテリ残量の監視を停止し（Ｓ４１１）、通話中の呼を切断して本フローを終了する。
【００５２】
図５は、主装置３０の動作フローチャート図である。本フローチャートは、主装置３０の電源が投入され、バッテリ駆動内線電話端末１０または内線電話端末５０からの操作を受付け可能な状態から開始する。
【００５３】
まず、主装置３０は、バッテリ駆動内線電話端末１０と相手電話端末が通話を確立する（Ｓ５０１）、また内線電話端末５０から特定コマンド（バッテリ駆動内線電話端末１０のＩＰアドレス）を受信する（Ｓ５０５）、の何れかの状態になるのを待つ。
【００５４】
バッテリ駆動内線電話端末１０と相手電話端末が通話を確立した場合（Ｓ５０１、Ｙｅｓ）、主装置３０は、バッテリ駆動内線電話端末１０から特定操作による保留要求を受信するのを待つ（Ｓ５０２）。図示しないがバッテリ駆動内線電話端末１０から特定操作による保留要求を所定期間受信しない場合、または確立したバッテリ駆動内線電話端末１０と相手電話端末との通話が切断された場合は、主装置３０はステップ５０１に戻る。
【００５５】
通話中にバッテリ駆動内線電話端末１０から保留要求を受信した場合（Ｓ５０２、Ｙｅｓ）、主装置３０は、保留要求を送信したバッテリ駆動内線電話端末１０が通話中の呼の保留処理を行い（Ｓ５０３）、保留要求を送信した保留要求元（バッテリ駆動内線電話端末１０のＩＰアドレス）を保留要求元情報テーブル３０６０に記憶し（Ｓ５０４）、ステップ５０１に戻る。
【００５６】
内線電話端末５０から特定コマンドを受信した場合（Ｓ５０５、Ｙｅｓ）、主装置３０は、保留要求元情報テーブル３０６０を参照して（Ｓ５０６）、受信した特定コマンドに一致するレコードが存在するか検索する（Ｓ５０７）。
【００５７】
受信した特定コマンドに一致するレコードが存在する場合（Ｓ５０７、Ｙｅｓ）、主装置３０は、一致したレコードに対応する呼を、特定コマンドを送信した内線電話端末５０に呼を転送し、転送した呼の保留を解除し（Ｓ５０８）、ステップ５０１に戻る。
【００５８】
受信した特定コマンドに一致するレコードが存在しない場合（Ｓ５０７、Ｎｏ）、ステップ５０１に戻る。
【００５９】
以上、本発明の一実施の形態について説明した。
【００６０】
本実施の形態では、バッテリ駆動内線電話端末１０は、通話中に自バッテリ駆動内線電話端末が内蔵するバッテリの残量値が、所定値未満であることを検出すると、通話中の呼を自動的に保留する旨の情報を自バッテリ駆動内線電話端末の表示部１０７に表示し、所定の操作が為された場合または所定時間内に所定の操作が為されなかった場合に、通話中の呼を保留することを要求する保留要求を主装置へ送信する。
バッテリ駆動内線電話端末１０を収容する主装置３０は、バッテリ駆動内線電話端末１０から保留要求を受信した場合に、バッテリ駆動内線電話端末１０に対応する通話中の呼を保留する。また、主装置３０は、保留した保留呼を識別する保留呼識別情報と保留要求を送信してきたバッテリ駆動内線電話端末１０に係る保留要求元情報を対応付けて記憶し、保留要求元情報を含む特定コマンドを受信したならば、保留要求元情報テーブル３０６０を参照し、受信した特定コマンドに含まれている保留要求元情報に対応する保留呼を特定し、特定した保留呼を解除し、特定コマンドを送信してきたバッテリ駆動内線電話端末１０または内線電話端末５０へ保留を解除した呼を転送する。
したがって、バッテリ駆動内線電話端末１０は、通話中にバッテリの残量値が所定値未満となった場合に、複雑な操作を行うことなく通話中の呼を自動的に保留することが出来る。また、予めバッテリの残量が低下した場合に備えて転送先を設定することなく、主装置３０に収容されているバッテリ駆動内線電話端末１０と内線電話端末５０のいずれかの内線電話端末に対して、通話中の呼を転送することが出来る。
【００６１】
尚、本実施の形態では、主装置３０は、内線電話端末５０から特定コマンドを受信すると、保留要求元情報テーブル３０６０に記憶された保留要求元情報のフィールド３０６２を参照して保留呼特定を実施しているが、本願はこれに限定されない。例えば、保留要求元情報に予め定められたパスワードを追加して記憶するようにしてもよいし、予め定められたパスワードのみを対応付けて記憶するようにしてもよい。さらに、バッテリ駆動内線電話端末１０からパスワードの入力を受付けて入力されたパスワードを記憶するようにしてもよい。
【００６２】
尚、本実施の形態では、バッテリ駆動内線電話端末１０は保留確認表示後に特定操作すると保留要求を送信しているが、本願はこれに限定されない。例えば、保留要求を送信後に、保留要求元情報を自バッテリ駆動内線電話端末の表示部に表示するようにしてもよい。これにより、ユーザはわざわざ保留要求元情報を記憶する必要がなくなる。
【００６３】
尚、本実施の形態では、バッテリ駆動内線電話端末１０のバッテリ残量値が所定値未満になると、保留確認画面を表示するとしているが、本願はこれに限定されない。例えば、バッテリ残量値が所定値未満になった場合に保留確認の画面表示を行うか、または、保留確認の画面表示を行わず保留要求を送信するのかの設定を設けてユーザに選択できるようにしてもよい。
【符号の説明】
【００６４】
１０  バッテリ駆動内線電話端末
２０  無線アクセスポイント
３０  主装置
４０  公衆網
５０  内線電話端末
１０１  無線通信部
１０２  呼接続制御部
１０３  移動端末制御部
１０４  バッテリ部
１０５  バッテリ残量値計測部
１０６  バッテリ残量値判定部
１０７  表示部
１０８  操作部
３０１  通信部
３０２  特定コマンド受信部
３０３  保留要求受信部
３０４  保留制御部
３０５  保留呼特定部
３０６  保留要求元情報テーブル記憶部
３０７  転送制御部
【図１】
2016019067.tif 000003
【図２】
2016019067.tif 000004
【図３】
2016019067.tif 000005
【図４】
2016019067.tif 000006
【図５】
2016019067.tif 000007
【図６】
2016019067.tif 000008